(57)【要約】  本発明は、２つの噛み要素（２．１、２．２）が固定されたワイヤ状の要素（１）を含むマウスピースに関する。本発明は、要素（１）が、２つのＵ字型の、それぞれ両脚部が互いに接続されたブラケット（１．１、１．２）から構成され、及び噛み要素（２．１、２．２）がそれぞれ脚部側の移行部の、両方のブラケット（１．１、１．２）の間に固定されていることを企図している。【選択図】図１
2013529967.tif 000002
【特許請求の範囲】
【請求項１】
２つの噛み要素（２．１、２．２）が固定されたワイヤ状の要素（１）を含むマウスピースにおいて、前記要素（１）が２つのＵ字型の、それぞれ両脚部に互いに接続されたブラケット（１．１、１．２）を形成し、及び前記噛み要素（２．１、２．２）がそれぞれ脚部側の移行部の、２つのブラケット（１．１、１．２）の間に固定されていることを特徴とする、マウスピース。
【請求項２】
前記ブラケット（１．１、１．２）が金属、特にニッケル・チタンから形成されている．ことを特徴とする、請求項１に記載のマウスピース。
【請求項３】
前記金属から形成されるブラケット（１．１、１．２）が、好ましくはプラスチックから成る被覆を備えていることを特徴とする、請求項２に記載のマウスピース。
【請求項４】
前記ブラケット（１．１、１．２）及び前記脚部側の移行部が、ワンピースに形成されていることを特徴とする、請求項１〜３のうちのいずれか一項に記載のマウスピース。
【請求項５】
前記脚部側の移行部が、Ｕ字型に形成されていることを特徴とする、請求項１〜４のうちのいずれか一項に記載のマウスピース。
【請求項６】
前記Ｕ字型のブラケット（１．１、１．２）及び前記Ｕ字型に形成された脚部側の移行部が、９０°曲げられて互いに配置されていることを特徴とする、請求項５に記載のマウスピース。
【請求項７】
各脚部側の移行部に、保持要素（３）が、噛み要素（２．１、２．２）のために配置されていることを特徴とする、請求項１〜６のうちのいずれか一項に記載のマウスピース。
【請求項８】
前記噛み要素（２．１、２．２）が、前記Ｕ字型のブラケット（１．１、１．２）に関してそれぞれブラケットの内側を指すように配置されていることを特徴とする、請求項１〜７のうちのいずれか一項に記載のマウスピース。
【請求項９】
前記噛み要素（２．１、２．２）が、選択的にプラスチック又はゴムから形成されていることを特徴とする、請求項１〜８のうちのいずれか一項に記載のマウスピース。
【請求項１０】
前記噛み要素（２．１、２．２）が薬剤キャリアとして形成されることを特徴とする、請求項１〜９のうちのいずれか一項に記載のマウスピース。
【発明の詳細な説明】
【技術分野】
【０００１】
本発明は、請求項１のプリアンブルに従ったマウスピースに関する。
【背景技術】
【０００２】
冒頭に挙げられた種類のマウスピースは、特許文献１により公知である。これはワイヤ状の要素（この文献では連結リンクと呼ばれる）から成り、この要素のところに２つの噛み要素（この文献では噛み部分と呼ばれる）が固定されている。この連結リンクは、ここでは典型的にはステンレス鋼又はチタンから形成されている。噛み部分は、プラスチック製である。以下に説明されている発明においてもそうであるように、噛み部分又は噛み要素は、それぞれ人間の上顎臼歯と下顎臼歯の間に配置することができ、歯を歯ぎしり、咬頬などから守るために使用される。
【０００３】
噛み部分は、特許文献１の解決法では、広範囲にわたって形状接合で上顎臼歯と下顎臼歯の上に載せられる。噛み部分を互いに接続している連結リンクは、いわゆる口唇エリア及び頬側エリア内、前歯の歯肉と上唇又は下唇との間に伸びている。
【先行技術文献】
【特許文献】
【０００４】
【特許文献１】ＤＥ２９５０９２９４Ｕ１
【特許文献２】ＷＯ２００３／０１１３６２
【特許文献３】２００３／０１１３６２Ａ２
【特許文献４】ＫＲ１０２００４００８６８８８Ａ
【発明の概要】
【発明が解決しようとする課題】
【０００５】
本発明の課題は、冒頭に挙げられた種類のマウスピースを改善することである。
【課題を解決するための手段】
【０００６】
この課題は、冒頭に挙げられた種類のマウスピースにより、請求項１の特徴に記載された特徴によって解決される。
【０００７】
本発明は、要素が、２つのＵ字型の、それぞれ両脚部が互いに接続されたブラケットから構成され、及び噛み要素がそれぞれ脚部側の移行部で、両方のブラケットの間に固定されていることを企図している。
【０００８】
すなわち、本発明では、及び上述の特許文献１とは異なり、合わせて２つのＵ字型のブラケットが備えられている。ここで１つのブラケットはマウスピースの装着時には下顎の口唇エリア及び頬側エリア（歯肉唇移行部とも呼ばれる）にあり、別のブラケットは上顎の口唇エリア及び頬側エリアにある。ブラケットは互いに、すなわちそれぞれ脚部側で対応して形成された接続エリア又は移行部を介して接続されており、その際さらに好ましくは２つのブラケット及び移行部がワンピースで１本のワイヤ、特にプラスチックでカバーされているニッケル・チタンワイヤから作られていることが企図される。装着時に顎関節付近にある（つまり門歯と反対を向いている）移行部は、好ましくは同じくＵ字型の形成されている。すなわち、抽象的に見てマウスピースは４つのＵ字型の部分片から成り、その際２つの部分片はＵ字型のブラケットを形成し、及び別の２つは好ましくは同様にＵ字型の部分片であって、いわゆる移行部であり、ブラケットに対して垂直に伸びている。
【０００９】
全体として、このようにして非常に弾性のあるマウスピースがもたらされ、このマウスピースは装着時に一方で両方の、上顎及び下顎口唇エリア及び頬側エリアに案内され、及び他方でいわゆる噛み要素の移行部のエリアに固定される。その際このマウスピースは高い着用時の快適さを備え、障害なく、すなわち噛み要素が口から出て落ちるという危険なく口を開閉できる、という利点と結びついている。口が開けられると、噛み要素が（特許文献１のように歯と固定的に接続することなく）臼歯の間の移行部にある程度「掛かって」おり、その結果口が閉じられるとすぐに自動的に再び正しい位置になる。
【００１０】
条件の「ワイヤ状」とは、ここではブラケットが、説明のように、好ましくは、しかし強制ではなく、金属から形成されていることを具体化している。同じく、ブラケットのインサートがプラスチック製であり、相応して細く、弾性を持たせて形成され、それぞれ口唇エリア及び頬側エリアで支持され得ることが考えられ得る。
【００１１】
本発明のマウスピースの別の有利な発展形態は、従属請求項に開示される。
【００１２】
完全性のために、さらに以下の文書を示す。
【００１３】
特許文献２、特許文献３では、治療用のマウスピースが公知であり、口腔組織を加温又は冷却するために使用される。このマウスピースは噛み要素を備えていない。
【００１４】
特許文献４では、２つの「ａｃｔｉｎｇ  ａｇｅｎｔ  ｓｔｏｒｉｎｇ  ｕｎｉｔｓ（作用剤備蓄ユニット）」を備えているマウスピースが公知である。（例えば口臭の治療のための）作用物質を収容するためのこの２つのユニットはキャリア要素という観点から（これは使用者がそれを噛むことができないように意図して選ばれている）本発明による噛み要素には相当しない。
【００１５】
本発明によるマウスピースは、従属特許請求の範囲に従った有利な発展形態も含んで、以下に実施例の図を使用して詳しく説明される。
【図面の簡単な説明】
【００１６】
【図１】本発明によるマウスピースの斜視図である。
【図２】本発明によるマウスピースの上面図である。
【図３】本発明によるマウスピースの側面図である。
【発明を実施するための形態】
【００１７】
図１から図３に示された、本発明によるマウスピースは、既知の方法で、ワイヤ状の要素１から形成され、２つの噛み要素２．１、２．２のところに回転不能に固定されている。
【００１８】
本発明によるマウスピースにとって重要なことは、要素１が２つのＵ字型の、それぞれ両脚部が互いに接続されたブラケット１．１、１．２から構成され、噛み要素２．１、２．２がそれぞれ脚部側の移行部の、２つのブラケット１．１、１．２の間に固定されている。
【００１９】
Ｕ字型のブラケット１．１、１．２及び移行部は、その際マウスピースが口を開いた場合でもなおいくらかプリテンションがかかり、及びそれによって自己安定的に２つの歯肉唇移行部に横たわるように形成される。
【００２０】
冒頭に説明されたように、Ｕ字型の、ワイヤ状のブラケット１．１、１．２はその際基本的に例えばプラスチック製でよく、しかし特に好ましくはブラケット１．１、１．２が金属、特にニッケル・チタンから形成されていることが企図される。
【００２１】
さらに口腔粘膜への金属の食い込み及び咽頭反射を防止するため、さらに荷重を全体としてよりよく分配して着用時の快適さをさらに高めるため、本発明は（特別に図示していないが）金属で形成されたブラケット１．１、１．２が好ましくはプラスチックから形成された被覆を備えていることを企図している。
【００２２】
本発明によるマウスピースを可能な限り少ない個別部品で実現し得るため及びそれによってやはり可能な限り衛生的に形成するために、さらに、図に示されているように、ブラケット１．１、１．２及び脚部側の移行部がワンピースに、つまり例えば（一箇所のみ接続されている）１本のニッケル・チタンワイヤから形成されることが企図される。
【００２３】
鋭角の角部を回避するため、及びそれによって着用時の快適さをさらに高めるため、脚部側の移行部がＵ字型に形成され、その際（特に図１参照）特に好ましくは字型のブラケット１．１、１．２及びＵ字型に形成された脚部側移行部が９０°曲げられて互いに配置されていることが企図される。
【００２４】
さらに、移行部の形成は（図示せず）、Ｕ字型だけでなく、ボルトの一部のようにコイル状、つまりループ形状に形成されることも考えられる。この形状はさらにマウスピースの柔軟性を高めると同時に、口内のインサートの所在位置のさらなる安定化をもたらす。
【００２５】
噛み要素２．１、２．２をワイヤ状の要素１に固定するため、特に図２に示されたように、各脚部側の移行部に保持要素３が配置されている。これは同じく好ましくはワイヤ状及びワンピースで、脚部側の移行部と接続して形成される。特に（特別に図示していないが）、保持要素３が脚部側の移行部のワイヤから成形され、その結果ブラケット、移行部及び保持要素が全体としてただ１つのワイヤピースで形成されており、このワイヤピースは、好ましくは熱的に接合、特に溶接され、ただ１箇所でつなぎ合わされなければならないことが企図される。
【００２６】
噛み要素２．１、２．２に関して、これらは（図１及び図２参照）Ｕ字型のブラケット１．１、１．２にそれぞれブラケット内側を指すように配置されており、選択的にプラスチック又はゴムから形成されていることが企図される。純粋に支える又は顎関節の負担を軽くする機能の他に、有利には、噛み要素２．１、２．２が歯科治療のための、例えばフッ素をしみ込ませたスポンジ状またはデポ剤状の、場合によってはゆっくり溶ける薬剤キャリアとして形成される。
【符号の説明】
【００２７】
１  ワイヤ状の要素
１．１  Ｕ字型のブラケット
１．２  Ｕ字型のブラケット
２．１  噛み要素
２．２  噛み要素
３  保持要素
【図１】
2013529967.tif 000003
【図２】
2013529967.tif 000004
【図３】
2013529967.tif 000005
【国際調査報告】
2013529967.tif 000006
2013529967.tif 000007
2013529967.tif 000008
2013529967.tif 000009